(57)【要約】【課題】カーソル移動を操作者の意図に応じて容易に操作できる、携帯端末装置に実装可能なカーソル移動装置を提供する。【解決手段】  カーソルが停止する領域（停止領域）を中心に、該停止領域から離れるにしたがって、カーソルの移動速度が速くなるように領域を配置したタッチパッドを用い、前記タッチパッドの接触点の位置情報を逐次検出し、領域範囲、カーソルの移動方向とカーソルの移動速度とを記憶する領域プロパティ記憶手段を参照して、前記位置情報に合致する領域を検索し、合致した領域に対応する移動方向と移動速度を取得し、前記取得された移動方向と移動速度とを外部機器へ出力する。該外部機器では、前記移動方向と移動速度をもとにカーソルを移動させる。【選択図】図１０
2006268665.tif 000002
【特許請求の範囲】
【請求項１】
位置指示によりパッド面上での座標を感知して、カーソルの位置や動作を指示するタッチパッド型のカーソル移動装置において、カーソルが停止する領域（停止領域）を中心に、該停止領域から離れるにしたがって、カーソルの移動速度が速くなるように領域を配置したタッチパッドと、前記タッチパッドの接触点の位置情報を逐次検出する位置検出手段と、前記各領域に対して、領域範囲、カーソルの移動方向とカーソルの移動速度とを記憶する領域プロパティ記憶手段と、前記領域プロパティ記憶手段を参照して、前記位置検出手段で検出された位置情報に合致する領域を検索し、合致した領域に対応する移動方向と移動速度を取得する移動方向・速度取得手段と、前記移動方向・速度取得手段で取得された移動方向と移動速度とを外部機器へ出力する出力手段と、を備えることを特徴とするカーソル移動装置。
【請求項２】
請求項１に記載のカーソル移動装置において、前記領域プロパティ記憶手段に記憶された各領域の情報を変更可能としたことを特徴とするカーソル移動装置。
【請求項３】
請求項１または２に記載のカーソル移動装置において、前記停止領域に接触したときには、前記出力手段から移動方向および移動速度をともにゼロとして出力させることを特徴とするカーソル移動装置。
【請求項４】
請求項１乃至３のいずれかに記載のカーソル移動装置において、前記タッチパッドの各領域に、異なる量あるいは異なる大きさの突起物を施すようにしたことを特徴とするカーソル移動装置。
【請求項５】
請求項１乃至３のいずれかに記載のカーソル移動装置において、前記タッチパッドの各
領域に、摩擦量が異なる表面処理を施すようにしたことを特徴とするカーソル移動装置。
【請求項６】
請求項１乃至３のいずれかに記載のカーソル移動装置において、前記タッチパッド全体をすり鉢状とすることを特徴とするカーソル移動装置。
【請求項７】
請求項１乃至３のいずれかに記載のカーソル移動装置において、前記タッチパッド全体を、前記停止領域を中心にした階段状とすることを特徴とするカーソル移動装置。
【請求項８】
請求項１乃至３のいずれかに記載のカーソル移動装置において、当該装置または前記タッチパネルを振動させる振動装置を有し、前記接触点の位置情報に応じて、該振動装置の振動量を変化させるようしたことを特徴とするカーソル移動装置。
【請求項９】
請求項１乃至３のいずれかに記載のカーソル移動装置において、レベルメータを表示する表示装置を有し、前記接触点の位置情報に応じて、該レベルメータの表示を変化させるようにしたことを特徴とするカーソル移動装置。
【請求項１０】
請求項１乃至３のいずれかに記載のカーソル移動装置において、発信音を出力する発信音発生装置を有し、前記接触点の位置情報に応じて、該発信音を変化させるようにしたことを特徴とするカーソル移動装置。
【請求項１１】
請求項１０に記載のカーソル移動装置において、前記発信音の変化は、発信音の音階の変化であることを特徴とするカーソル移動装置。
【請求項１２】
請求項１０または１１に記載のカーソル移動装置において、前記発信音の変化は、発信音の発信間隔の変化であることを特徴とするカーソル移動装置。
【請求項１３】
請求項１０、１１または１２に記載のカーソル移動装置において、前記発信音の変化は、発信音の発信音量の変化であることを特徴とするカーソル移動装置。
【請求項１４】
請求項１乃至４のいずれかに記載のカーソル移動装置において、前記タッチパッド上に、前記領域に対応するカーソルの移動速度に応ずる温度を発生する発熱装置を配置したことを特徴とするカーソル移動装置。
【請求項１５】
請求項１乃至３のいずれかに記載のカーソル移動装置において、前記タッチパッド上に、前記領域に対応するカーソルの移動速度に応ずる強さの電気的刺激を発生させる電極を配置したことを特徴とするカーソル移動装置。
【請求項１６】
請求項１乃至１５のいずれかに記載のカーソル移動装置において、前記領域をカーソルの移動方向ごとに配置するようにしたことを特徴とするカーソル移動装置。
【請求項１７】
請求項１６に記載のカーソル移動装置において、前記移動方向に配置された各領域を三角形あるいは台形の溝としたことを特徴とするカーソル移動装置。
【請求項１８】
請求項１乃至１７のいずれかに記載のカーソル移動装置において、前記出力部は、外部機器への出力を無線通信で行うようにしたことを特徴とするカーソル移動装置。
【請求項１９】
カーソルが停止する領域（停止領域）を中心に、該停止領域から離れるにしたがって、カーソルの移動速度が速くなるように領域を配置したタッチパッドと、前記各領域に対して、領域範囲、カーソルの移動方向とカーソルの移動速度とを記憶する領域プロパティ記憶手段とを用い、前記タッチパッドの接触点の位置情報を逐次検出し、前記領域プロパティ記憶手段を参照して、前記位置情報に合致する領域を検索し、合致した領域に対応する移動方向と移動速度を取得し、前記取得された移動方向と移動速度とを外部機器へ出力し、該外部機器では前記移動方向と移動速度をもとにカーソルを移動させるようにしたことを特徴とするカーソルの移動方法。
【請求項２０】
コンピュータに、カーソルが停止する領域（停止領域）を中心にして、該停止領域から離れるにしたがって、カーソルの移動速度が速くなるように領域を配置したタッチパッドの接触点の位置情報を逐次検出し、前記各領域ごとに、領域範囲、カーソルの移動方向とカーソルの移動速度とを記憶させた領域プロパティ記憶手段を参照して、前記位置情報に合致する領域に対応する移動方向と移動速度を取得し、該取得された移動方向と移動速度とを外部機器へ出力する機能を実現させるためのプログラム。
【請求項２１】
請求項２０に記載のプログラムを記録したコンピュータ読み取り可能な記録媒体。
【発明の詳細な説明】
【技術分野】
【０００１】
本発明は、カーソル移動装置、カーソルの移動方法、カーソルの移動方法をコンピュータに実現させるためのプログラムおよびそのプログラムを記録したコンピュータ読み取り可能な記録媒体に関する。
【背景技術】
【０００２】
最近では、パーソナルコンピュータをはじめとしてＡＶ機器などの電子機器では、例えば、音量、音質やステレオバランスなどの調整、放送の選局、映像の編集位置等をメニューとしてディスプレイに表示させ、表示させた項目や位置を指定し各種の設定／調整を行うことが一般的になっている。
【０００３】
このとき、ディスプレイには、矢印状のカーソルを表示させて、ユーザはこのカーソルを移動させて項目の選択や位置を指定するようになっている。または、メニューを反転表示させてカーソルの代わりとする場合もある。
このような、カーソルを移動させる装置としては、マウス、トラックポイント、ジョイスティック、タッチパッド、十字キー等がある。
【０００４】
ところで、カーソルを現在表示されている位置から別の目標位置へ移動させようとするときには、上記のカーソル移動装置では、１回の操作で目標位置まで移動させることができないので、複数回の操作を行わなければならない。
このため、カーソルの移動速度を可変にして、遠く離れた場所への移動時には速度を速め、目標位置へ近づいた時には速度を落として正確な位置に停止させる必要がある。
【０００５】
特許文献１の技術では、タッチパッド面上に２次元座標を定義し、パッド面の特定位置を座標の原点と定義し、位置指示手段によりパッド面の原点を指示した際のポインタの速度を０と定義し、位置指示手段により指示したパッド面上の２次元座標をポインタの速度ベクトル値として定義している。これにより、指などの位置指示手段を、パッド上に殆ど静止し、力の入れ具合によることなく、位置をわずかにずらすだけの安易な動作でポインタの移動方向、移動速度を制御することができる。
【０００６】
また、特許文献２の技術では、タッチパッドの周辺に、カーソルの移動速度を切替えることのできる切替え領域を設けることにより、近くまでもっていくために要求されるスピード感と、逆に目標位置に近づいたときに要求される正確な安定感とをもち、余計な操作工程を増やすことなく、自由自在にカーソルの移動速度を切替えられるようにした。
【特許文献１】特開２００１−２８２４５０号公報
【特許文献２】特開２００２−２４４８０９号公報
【発明の開示】
【発明が解決しようとする課題】
【０００７】
ところで、デジタルカメラ、ＰＤＡ（Personal Digital Assistant）や携帯電話機のような携帯端末装置では、カーソル移動を制御する装置として、装置自体がコンパクトなためマウスやジョイスティックを使わずに、十字キー、タッチパッドやトラックポイント等を使っている。
【０００８】
しかしながら、上述したような距離の離れた所の目標に移動するためには、十字キーではボタンの押下−開放と長押しによって操作するため、操作が極めて煩わしいものになり、素早くカーソルを移動させるには不向きである。
また、タッチパッドでは、指の移動速度でカーソルの移動速度を制御できるが、指を操作させるには面積が狭いため、長い距離を移動させるには、何度も繰り返し同じ動作を行う必要がある。
【０００９】
また、指先の圧力でカーソル移動を制御するトラックポイントもあるが、振動の影響を受けやすい構造であるため、歩行中や、電車、自動車などで移動中など、振動がある状況では、うまくコントロールできないという欠点がある。
【００１０】
このため、上述したような問題点をコンパクトな装置である携帯端末装置で解決するためには、次のような要求を同時に実現する必要がある。
【００１１】
（１）設置される装置がコンパクトなために、カーソル移動装置の設置面積や体積を最小にする。
（２）ユーザの煩わしさを軽減するために、操作量を少なくする。
（３）携帯端末装置は携帯であるため手持ちで操作することが多くので、振動による影響が受けにくい構造となっている。
（４）カーソルの移動を目視だけでなく、感触や聴覚によっても認識できる。
【００１２】
上記の観点から、上述した従来の技術を検討する。
特許文献１は、携帯端末装置のようなコンパクトな装置に実装すると、各区画の面積が小さくなりすぎ、区画の境界が分からないため、ユーザが絶えず入力する区画を確認しながら入力操作しなければならない。
【００１３】
また、特許文献２は、カーソルの移動速度を切り替えるために、一旦、指を切り替え用の領域に移動させ、移動方向を示す左または右のボタンをタッチしてから、指を元に戻して目標に向けて動かす動作を行わなければならず、操作量が多くなる。また、カーソルの移動状態は目視できるが、指の感触によって遅速を感じるものでない。
【００１４】
本発明は、上述のような実情を考慮してなされたものであって、カーソル移動を操作者の意図に応じて容易に操作できる、携帯端末装置に実装可能なカーソル移動装置、カーソルの移動方法、カーソルの移動方法をコンピュータに実現させるためのプログラムおよびそのプログラムを記録したコンピュータ読み取り可能な記録媒体を提供することを目的とする。
【課題を解決するための手段】
【００１５】
上記の課題を解決するために、本発明は次のような構成をとる。
本発明のカーソル移動装置は、位置指示によりパッド面上での座標を感知して、カーソルの位置や動作を指示するタッチパッド型のカーソル移動装置であって、このタッチパッドは、カーソルが停止する領域（停止領域）を中心に、該停止領域から離れるにしたがって、カーソルの移動速度が速くなるように領域を配置している。
この領域は、領域範囲、カーソルの移動方向とカーソルの移動速度とを領域プロパティ記憶手段に記憶させてあり、必要に応じて変更可能である。
さらに、カーソル移動装置には、前記タッチパッドの接触点の位置情報を逐次検出する位置検出手段と、前記領域プロパティ記憶手段を参照して、前記位置検出手段で検出された位置情報に合致する領域を検索し、合致した領域に対応する移動方向と移動速度を取得する移動方向・速度取得手段と、前記移動方向・速度取得手段で取得された移動方向と移動速度とを外部機器へ出力する出力手段と、を備えている。
外部機器では、このようなカーソルの移動方向と移動速度を元に、現在のカーソル位置を計算して、外部機器の備える表示装置でカーソルを移動させる。
【００１６】
このタッチパッドは、現在のカーソルを見なくても移動速度が分かるように、次のいずれかの構造になっている。
（１）前記タッチパッドの各領域に、異なる量の小さな突起物や、大きさの異なる突起物を施す。
（２）前記タッチパッドの各領域に、摩擦を感じるようなざらざら感を有する表面処理を施す。
（３）前記タッチパッド全体をすり鉢状とする。
（４）前記タッチパッド全体を、前記停止領域を中心にした階段状とする。
【００１７】
また、タッチパッドの構造だけではなく、次のいずれかの装置を付加するようにして、カーソルを見なくても、カーソルの移動速度の違いが分かるようにした。
（１）当該装置または前記タッチパネルを振動させる振動装置を備えて、前記接触点の位置情報に応じて、該振動装置の振動量を変化させるようにした。
（２）レベルメータを表示する表示装置を備えて、前記接触点の位置情報に応じて、該レベルメータの表示を変化させるようにした。
（３）発信音を出力する発信音発生装置を有し、前記接触点の位置情報に応じて、該発信音を変化させるようにした。
この発信音の変化は、発信音の音階、発信間隔や発信音量の１つ以上の組み合わせによって表現するようにした。
（４）前記タッチパッド上に、前記領域に対応するカーソルの移動速度に応ずる温度を発生する発熱装置を配置した。
（５）前記タッチパッド上に、前記領域に対応するカーソルの移動速度に応ずる強さの電気的刺激を発生させる電極を配置した。
【００１８】
また、本発明は、上述した構成のカーソル移動装置の機能をコンピュータに実現させるためのプログラム、またはそのプログラムを記録したコンピュータ読み取り可能な記録媒体によっても上記課題を解決することができる。
【発明の効果】
【００１９】
本発明によれば、カーソル移動の速度を段階的に選択すること、装置上の選択位置が触覚で認識できること、操作する指の移動量を少なくすること、振動の影響を受けにくい構造であることを同時に実現することができるので、カーソル移動を操作者の意図に応じて容易に操作することができる。
【発明を実施するための最良の形態】
【００２０】
以下、図面を参照して本発明の好適な実施形態について説明する。
【００２１】
＜実施形態１＞
まず、タッチパッドの構成について説明する。
図１は、カーソルを４方向（上下左右）に移動させるためのタッチパッドである。
このタッチパッドには、カーソルの動きを停止させる停止位置ボタンＳを中心に、上下左右の方向に中心から離れるに従ってカーソルの移動速度が速くなる選択箇所認識機能を配置している。ただし、停止位置ボタンＳに触れている場合や、タッチパッドに触れていない場合には、カーソルの移動は停止するものとする。
【００２２】
このように、カーソルの停止位置を中心にして、中心から遠ざかるほど速度を速めるように配置すると、目標位置が近づくにしたがって移動速度を落とし、見つかると選択行為を行うという動作に合致した自然な動作である。
【００２３】
例えば、図１では、カーソルを右方向に移動させるには、Ｒ１〜Ｒ３で示した領域のいずれかを指でタッチすることによって方向を指定することができる。他の方向も同様に各方向の領域をタッチすることにより選択することができる。
【００２４】
また、上述のように各方向は３つの領域Ｒ１〜Ｒ３に分かれており、各領域は中心の停止位置Ｓから順に、カーソルの移動速度が段階的に変るように設定してある。
図１では、移動速度の可変段階を３段階にし、領域Ｒ１は「速度１」、領域Ｒ２は「速度２」、領域Ｒ３は「速度３」の各速度に対応している。
これらのいずれかの領域をタッチすることによって、カーソルの移動速度を変えることができる。
【００２５】
これらの移動速度、移動速度の変化度合いの段階数、領域の大きさ（広さ）等は、必要に応じて設定変更可能である。
即ち、カーソルの移動方向は４方向と限ったものではなく、例えば、図２（Ａ）に示すように、上下方向のみの場合や、図２（Ｂ）のように左右方向のみの場合のように配置してもよい。
さらに、方向の定義も変更可能である。例えば、図２（Ｂ）のような２方向の場合、領域Ｌ１〜Ｌ３を上方向とし、領域Ｒ１〜Ｒ３を下方向とするように、意味づけを変更することも可能である。
【００２６】
また、停止位置ボタンＳで短く叩く動作を行うと、カーソルの存在位置での選択行為（マウスにおけるシングルクリックに相当する）を意味する。また、２回続けて短く叩く動作を行うと、カーソルの存在位置での実行行為（マウスにおけるダブルクリックに相当する）を意味する。
【００２７】
これまでに説明してきたタッチパッドは、図１に示したような４方向の領域を十字形で表していた。
しかし、タッチパッドの形状は、これに限定されるものではなく、例えば、図３に示したように、矩形や円形のタッチパッド全体の中から、上述した十字形の領域（図３の斜線の部分）を使うようにしてもよい。
このとき、移動速度の違いを示す領域を図３（Ａ）や（Ｃ）のように十字形の中だけに取るようにしてもよい。また、移動速度の違いを示す領域をタッチパッド全体に取り、その中から図３（Ｂ）や（Ｄ）のような十字形を使用するようにしてもよい。
さらに、図３（Ｅ）のように、移動速度の違いを示す領域をタッチパッド全体に取り、方向性を持たずに移動速度の変化だけがわかるようにしてもよい。
また、図３（Ｆ）のように、移動方向を回転角θとし、移動速度の変化がわかるようにしてもよい。
【００２８】
次に、本発明のカーソル移動装置に利用するタッチパッドは、指で触っただけで、指がどの方向のどの移動速度の領域にあるかを分かるようにしてある。
例えば、図４に示したように、各領域上に、指先で認識できる小さな突起物を、中心位置から離れるにしたがって、突起物の数を増やすか、あるいは、突起物の大きさを大きくする。これらの突起物の量は、各方向の同じ移動速度には同量の突起物あるいは同じ大きさの突起物を配置する。
これにより、操作者は、指先で感じる突起物の量の変化によって中心からの位置を認識することができ、これに対応付けられたカーソルの移動速度を変えることができる。
【００２９】
また、図４の突起物の代わりに、各領域上を摩擦量の異なる表面処理するようにしてもよい。例えば、図５に示すように、停止位置ボタンＳから離れるにしたがって、「最も滑らかな表面部」、「ややざらついた表面部」および「最もざらついた表面部」を持つように、摩擦量の異なる表面処理を行う。図５のタッチパッドでは、同じ移動速度を表す領域を同心円で区切るようにしているが、もちろん、上述のような十字形の領域にのみ表面処理を施したものであってもかまわない。また、円形ではなく矩形としてもよい。
【００３０】
また、図６に示すように、各方向の領域の形を停止位置ボタンＳから遠ざかるほど幅が狭くなる三角形あるいは台形（図６（Ａ））となる溝（図６（Ｂ））としてもよい。このような溝の幅の間隔変化を指で感じることによって中心からの距離を認識するようにしてもよい。
【００３１】
また、図７に示すように、タッチパッド全体を、停止位置ボタンＳの中央を一番深く、中央から遠ざかるほど浅くなるすり鉢状（図７（Ｂ））の形状にし、その壁面の角度の変化を指で感じることによって中心からの距離を認識するようにしてもよい。
【００３２】
また、図８に示すように、タッチパッド全体を階段状（図８（Ｂ））とし、停止位置ボタンＳの中央を一番下の段、中央から遠ざかるほど上の段となるようにし、段差を指で感じることによって中心からの距離を認識するようにしてもよい。
【００３３】
次に、図９を用いて、上述したタッチパッドを組み込んだ機器のカーソル操作について説明する。この説明では、機器を大量の音楽タイトルが記録されたジュークボックスとする。
機器に記録されている音楽タイトルは、表示装置にリスト表示され、選択対象となるタイトルにカーソル（この場合には反転表示でカーソルを表示する）が表示される。
操作者は、表示装置に表示されたタイトルのリストを上下方向にスクロールすることによって所望のタイトルを探し、その所望のタイトルに対してカーソルがくるようにして選曲する。
このようにリスト表示をスクロールさせるには、タッチパッドの上方向（Ｕ１〜Ｕ３）あるいは下方向（Ｄ１〜Ｄ３）の移動速度を示す適度の位置に指を持って行き、カーソルが所望のタイトルに来たときに停止位置ボタンＳを押すことによって、タイトルが選択される。
【００３４】
次に、本発明のカーソル移動装置を組み込んだ機器の構成について説明する。
図１０は、本発明のカーソル移動装置を組み込んだ機器の構成を示すブロック図であり、同図において、この機器１０にはカーソル移動装置１００と表示装置２０とが接続している。
【００３５】
機器１０は、カーソル移動装置１００からカーソルの移動方向θと移動速度ｖを、時間間隔ｔで取り込み、現在のカーソル位置（ｘ，ｙ）から移動先のカーソル位置（Ｘ，Ｙ）を次の式で計算する。
Ｘ＝ｘ＋ｖ・ｔ・ｃｏｓθ
Ｙ＝ｙ＋ｖ・ｔ・ｓｉｎθ
【００３６】
ここで、カーソル移動装置から送られてくる移動方向や移動速度は、角度や速度の単位系を持ったものでなくても良く、それらの単位系に変換可能なものであればよい。
機器１０では、この計算式で得たカーソル位置（Ｘ，Ｙ）を、表示装置２０に表示するウインドウの幅に合わせるように変換して、表示リスト等とともに表示装置２０へ表示する。
【００３７】
次に、カーソル移動装置１００の詳細な構成について説明する。図１０によると、カーソル移動装置１００は、タッチパッド１１０、位置検出部１２０、制御部１３０、移動方向・速度取得部１４０、領域プロパティ記憶部１５０、出力部１６０とから構成されている。
タッチパッド１１０は、図１乃至図９に例示されているいずれかの構成を持ったタッチパッドである。
位置検出部１２０は、タッチパッド１１０の、感圧、静電誘導、電磁誘導などの方式で検出された指の接触位置の座標（ｘ，ｙ）を検出して、その座標位置を制御部１３０へ移動イベントとして送る。また、タッチパッド１１０に付属した停止位置ボタンにタッチした場合には、接触位置の座標が（０，０）の移動イベントとして制御部１３０へ送り、シングルクリックあるいはダブルクリックされると、シングルクリックイベントあるいはダブルクリックイベントとして制御部１３０へ送る。
【００３８】
制御部１３０は、受け取ったイベントがクリックイベントの時には、この受け取ったクリックイベントを出力部１６０へ送る。
また、制御部１３０が移動イベントの時には、座標位置（ｘ，ｙ）を移動方向・速度取得部１４０へ送る。
【００３９】
領域プロパティ記憶部１５０には、各領域ごとに、領域の範囲、移動方向、移動速度が記憶されている。この領域プロパティ記憶部１５０は、固定的に上記の情報を記憶させておいてもよいし、機器１０等を介して新たな情報を書き込んでもよい。
前述した移動方向の意味づけを変更する場合には、この領域プロパティ記憶部１５０の移動方向の値を変更すればよい。
【００４０】
移動方向・速度取得部１４０は、受け取った座標位置（ｘ，ｙ）が領域プロパティ記憶部１５０のいずれの領域の範囲に属するかを判定し、見つけた領域に対応する移動方向と移動速度を取り出して、移動イベントとして出力部１６０へ送る。
【００４１】
出力部１６０は、制御部１３０または移動方向・速度取得部１４０から受け取ったイベント情報を、３つ組み（イベントの種類、移動方向、移動速度）として、予め決められた一定間隔で機器１０に送出する。
【００４２】
以上のように本実施形態を構成することにより、指の位置を触覚的に認識でき、カーソル移動の速度を段階的に選択して、操作する指の移動量を少なくし、さらに、タッチパッドを用いるようにしたので、振動の影響を受けにくい構造となっている。
【００４３】
＜実施形態２＞
【００４４】
上述の実施形態１では、タッチパッド自体に加工することによって、指の位置を認識するようにしていた。本実施形態２では、タッチパッドとは別体の装置により指がタッチパッドのどの位置にあるかを認識する方法について説明する。
【００４５】
実施形態２としては、例えば、機器全体またはタッチパッドが振動する機構を組み込み、指の接触位置の中心位置からの距離によってその振動量を増減させ、振動量の変化によって中心位置からの距離を認知できるようにしてもよい（図１１）。
また、レベルメータを配置し、カーソルの移動速度の段階に合わせて表示するようにし、定量的に視認できるようにしてもよい（図１２）。
また、発信音を出す仕組みを組み込み、指の接触位置の中心位置からの距離によって、発信音の音階、音量や発信間隔を変化させることによって、その音の変化によって中心位置からの距離を認知できるようにしてもよい（図１３）。
【００４６】
図１４は、本実施形態２のカーソル移動装置１００の構成を示すブロック図であり、図１０と同じものは同じ符号を付して説明を省略する。
図１４において、カーソル移動装置１００は、タッチパッド１１０、位置検出部１２０、制御部１３０、移動方向・速度取得部１４０、領域プロパティ記憶部１５０、出力部１６０、レベルメータ出力部１７０、表示装置１７５、音出力部１８０、発信音発生装置１８５、振動出力部１９０、振動装置１９５とから構成されている。
このうち、レベルメータ出力部１７０、音出力部１８０と振動出力部１９０とは、すべて同時に備えていなくても良く、いずれか１つ以上の組み合わせであればよい。
【００４７】
レベルメータ出力部１７０は、移動方向・速度取得部１４０から移動方向と移動速度を受け取って、移動速度を少なくとも移動速度の段階以上のレベルに分けて、レベルメータを表示装置１７５に表示する。この表示装置１７５は、カーソルの移動が見える表示装置２０の近くに設置する。
【００４８】
音出力部１８０は、移動方向・速度取得部１４０から移動方向と移動速度を受け取って、移動速度を少なくとも移動速度の段階以上の音階に分けて、発信音発生装置１８５（例えば、スピーカー）に出力したり、または、移動速度を少なくとも移動速度の段階以上の音量区分に分けて、区分にあわせた音量で所定の音を発信音発生装置１８５に出力したり、また、移動速度を少なくとも移動速度の段階以上の発信音の長さに区分し、その長さに応じた所定の音を発信音発生装置１８５に出力する。
また、これらの音階、音量や発信間隔を組み合わせた音を出力するようにしてもよい。
【００４９】
振動出力部１９０は、移動方向・速度取得部１４０から移動方向と移動速度を受け取って、移動速度を少なくとも移動速度の段階以上の振動区分に分けて、区分にあわせた振動数で振動装置１９５を振動させ、機器全体またはタッチパッドを振動させる。
【００５０】
＜実施形態３＞
本実施形態３では、タッチパッドと一体化した装置により指がタッチパッドのどの位置にあるかを認識する方法について説明する。
【００５１】
実施形態３としては、例えば、４方向のタッチパッド上に、中心位置からの距離に応じた強さの電気的刺激を発生させる電極を配置し、指が接触したときに、その位置によって電気的刺激の強さが変化することにより、中心位置からの距離を認知できるようにしてもよい（図１５）。
また、タッチパッド上に中心位置からの距離に応じた温度を発生する発熱装置を配置し、指が接触したときに、その位置によって温度が変化することにより、中心位置からの距離を認知するようにしてもよい（図１６）。また、この発熱装置は、タッチパッド上の中心位置から一番外側だけに配置するようにしてもよい。
【００５２】
＜実施形態４＞
上記の実施形態１乃至３は、カーソル移動装置を機器に組み込むようにしているが、カーソル移動装置と機器とを別体とし、カーソル移動装置からの出力を短距離無線（例えば、ブルートゥース、赤外線等）で機器へ送信し、受信したカーソルの移動方向や移動速度に合わせて機器に接続された表示装置のカーソルを移動させるようにしてもよい。
【００５３】
＜本発明のカーソル移動装置の応用＞
本発明のカーソル移動装置は、次に挙げるような機能を持つ機器に適用することができる。
（１）音楽や映像のように時間軸を持つデータの早送り、早戻し、スロー再生、スロー逆再生の速度の制御に適用できる。
（２）電子書籍のページめくりの速度、携帯電話のアドレス帳や電子辞書の項目リストの選択操作に適用できる。
（３）ゲーム機およびゲームソフトにおいて、その仮想空間の移動やキャラクターの移動操作に適用できる。
（４）画像や地図等を一部表示したときの、表示領域の移動操作や表示倍率の変更速度等に適用できる。
（５）音量調整、火力調整、照明調整、空調の温度や風向きの調整、調理器具の温度設定、チューナーの周波数調整、時刻設定や調整、自動車などのパワーウィンドウの開閉操作の速度等の各種調整に適用できる。
（６）コンピュータに接続することにより、キーボードの「上」「下」「左」「右」の矢印キーを使って操作するカーソル移動操作のカーソル移動速度や、スクロール操作におけるスクロール速度の制御に適用もできる。
【００５４】
＜実施形態５＞
本発明は、上述した実施形態のみに限定されたものではない。上述した実施形態を構成する各機能（制御部、移動方向・速度取得部、出力部、レベルメータ出力部、音出力部、振動出力部）をそれぞれプログラム化して、予め記録媒体に書き込んでおき、この記録媒体に記録されたこれらのプログラムを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
【００５５】
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納されたプログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【図面の簡単な説明】
【００５６】
【図１】本発明のカーソル移動装置で使われるタッチパッド（４方向）の構成を説明する図である。
【図２】２方向のタッチパッドの構成を説明する図である。
【図３】タッチパッドの一部を本発明のタッチパッドとして利用するときの構成を説明する図である。
【図４】突起物を埋め込んだタッチパッドの構成を説明する図である。
【図５】表面処理を施したタッチパッドの構成を説明する図である。
【図６】三角形や台形からなる溝をもったタッチパッドの構成を説明する図である。
【図７】すり鉢状のタッチパッドの構成を説明する図である。
【図８】階段状のタッチパッドの構成を説明する図である。
【図９】本発明のカーソル移動装置を搭載した機器の構成を説明する図である。
【図１０】本発明のカーソル移動装置の機能構成を説明する図である。
【図１１】振動装置により移動速度を体感できる構成を説明する図である。
【図１２】レベルメータにより移動速度を体感できる目視可能な構成を説明する図である。
【図１３】発信音発生装置により移動速度を体感できる構成を説明する図である。
【図１４】本発明のカーソル移動装置の他の機能構成を説明する図である。
【図１５】電極をタッチパッドに埋め込んだ構成を説明する図である。
【図１６】発熱装置をタッチパッドに埋め込んだ構成を説明する図である。
【符号の説明】
【００５７】
１０…機器、２０…表示装置、１００…カーソル移動装置、１１０…タッチパッド、１２０…位置検出部、１３０…制御部、１４０…移動方向・速度取得部、１５０…領域プロパティ記憶部、１６０…出力部、１７０…レベルメータ出力部、１７５…表示装置、１８０…音出力部、１８５…発信音発生装置、１９０…振動出力部、１９５…振動装置、Ｄ１〜Ｄ３…カーソルの移動方向が下方で、移動速度の段階を示す領域、Ｌ１〜Ｌ３…カーソルの移動方向が左方で、移動速度の段階を示す領域、Ｒ１〜Ｒ３…カーソルの移動方向が右方で、移動速度の段階を示す領域、Ｕ１〜Ｕ３…カーソルの移動方向が上方で、移動速度の段階を示す領域、Ｓ…停止位置ボタン。
【図１】
2006268665.tif 000003
【図２】
2006268665.tif 000004
【図３】
2006268665.tif 000005
【図４】
2006268665.tif 000006
【図５】
2006268665.tif 000007
【図６】
2006268665.tif 000008
【図７】
2006268665.tif 000009
【図８】
2006268665.tif 000010
【図９】
2006268665.tif 000011
【図１０】
2006268665.tif 000012
【図１１】
2006268665.tif 000013
【図１２】
2006268665.tif 000014
【図１３】
2006268665.tif 000015
【図１４】
2006268665.tif 000016
【図１５】
2006268665.tif 000017
【図１６】
2006268665.tif 000018